(57)【要約】【課題】子供や特定のユーザが通常通り活動するなかで、子供や特定のユーザの現状を把握し、傾向をチェックすることができるデータを保護者や管理責任者に提供する監視サーバ及び方法を提供すること。【解決手段】監視サーバ１０は、監視の対象とする第１のユーザ識別情報と、送信する相手先である第２のユーザ識別情報とを対応付けて記憶する特定ユーザＤＢ３１と、特有のキーワードを記憶するキーワードＤＢ３２とを備える。そして、監視サーバ１０は、メールサーバ及びＷｅｂサーバから受信したデータの中から、第１のユーザ識別情報に関連する情報を含むデータを抽出し、抽出したデータの中から、キーワードＤＢ３２に基づいて特有のキーワードを含むデータを検出する。次に、監視サーバ１０は、検出したデータを、第１のユーザ識別情報に対応付けられた第２のユーザ識別情報によって識別される第２のユーザ端末６１に送信する。【選択図】図１
2012073798.tif 000002
【特許請求の範囲】
【請求項１】
メールサーバ及びＷｅｂサーバと通信可能に接続された監視サーバであって、
前記監視サーバが監視の対象とする第１のユーザ識別情報と、前記監視サーバが送信する相手先である第２のユーザ識別情報とを対応付けて記憶する特定ユーザ記憶手段と、
特有のキーワードを記憶するキーワード記憶手段と、
前記メールサーバ及び前記Ｗｅｂサーバから受信したデータの中から、前記第１のユーザ識別情報に関連する情報を含むデータを抽出する抽出手段と、
前記抽出手段によって抽出されたデータの中から、前記キーワード記憶手段に基づいて前記特有のキーワードを含むデータを検出する検出手段と、
前記検出手段によって検出されたデータを、前記第１のユーザ識別情報に対応付けられた前記第２のユーザ識別情報によって識別されるユーザに送信する報告送信手段と、
を備える監視サーバ。
【請求項２】
請求項１に記載された監視サーバであって、
前記第１のユーザ識別情報と、前記メールサーバ及び前記Ｗｅｂサーバから受信したデータとを対応付けて記憶する履歴記憶手段と、
前記抽出手段によって抽出されたデータを、前記第１のユーザ識別情報ごとに前記履歴記憶手段に格納する履歴格納手段と、
前記履歴格納手段によって格納されたデータを定期的に解析する解析手段と、をさらに備え、
前記報告送信手段は、前記解析手段によって解析された結果に基づいて、前記検出手段によって検出されたデータを、前記第２のユーザ識別情報によって識別されるユーザに送信する監視サーバ。
【請求項３】
請求項２に記載された監視サーバであって、
前記キーワード記憶手段は、互いに同じカテゴリに属することを示す情報が対応付けられた前記特有のキーワードを記憶し、
前記解析手段は、前記履歴記憶手段に記憶されたデータに含まれる前記特有のキーワードがどのカテゴリに属するかを、前記キーワード記憶手段に基づいて解析する監視サーバ。
【請求項４】
請求項１から３のいずれかに記載された監視サーバであって、
前記キーワード記憶手段は、前記第１のユーザ識別情報に対応付けて前記キーワードを記憶する監視サーバ。
【請求項５】
メールサーバ及びＷｅｂサーバと通信可能に接続された監視サーバが実行する方法であって、
前記監視サーバは、
前記監視サーバが監視の対象とする第１のユーザ識別情報と、前記監視サーバが送信する相手先である第２のユーザ識別情報とを対応付けて記憶する特定ユーザ記憶手段と、
特有のキーワードを記憶するキーワード記憶手段と、を備え、
前記方法は、
前記メールサーバ及び前記Ｗｅｂサーバから受信したデータの中から、前記第１のユーザ識別情報に関連する情報を含むデータを抽出するステップと、
抽出されたデータの中から、前記キーワード記憶手段に基づいて前記特有のキーワードを含むデータを検出するステップと、
検出されたデータを、前記第１のユーザ識別情報に対応付けられた前記第２のユーザ識別情報によって識別されるユーザに送信するステップと、
を備える方法。
【発明の詳細な説明】
【技術分野】
【０００１】
本発明は、監視サーバ及び方法に関する。
【背景技術】
【０００２】
近年、インターネット等の普及により、ユーザは、端末からインターネット等にアクセスし、電子メールの交換や、Ｗｅｂページの閲覧等を行うことによって、様々な情報を取得したり、発信したりすることが容易にできる。一方、様々な情報の取得や発信が容易にできることによって、ユーザは、有益な情報だけでなく、有害な情報も容易に取得したり、発信したりすることができる。
【０００３】
このように様々な情報が混在する中で、ユーザが取得する情報に有害な情報が含まれないようにするための提案がされている。例えば、端末からインターネット等にアクセスする子供等に有害な情報を見せないようにする技術を開示する特許文献１が知られている。
【０００４】
特許文献１に開示されたコンテンツフィルタリング方法は、携帯端末契約者（保護者）の判断で電子メールの受信保留指定ができるようにする。受信保留指定に関する情報として、保留指定の有無、保留対象外発信者リスト（例えば家族のメールアドレス等）、及び保留時間をＩＳＰ（インターネットサービスプロバイダ）のメールサーバに登録できるようにする。また、モバイルコンテンツへのアクセスに関する情報として、許容レイティングレベルを登録できるようにする。そして、このコンテンツフィルタリング方法において、ＩＳＰのメールサーバは、受信保留指定対象のメールに対して、本文にＵＲＬが含まれているかをチェックし、含まれている場合はＵＲＬをレイティング機関に送る一方で、指定された保留時間の間、携帯端末への配信を保留し、レイティング機関から取得したレイティングレベルが許容される範囲内である場合に、メールを配信する。
【先行技術文献】
【特許文献】
【０００５】
【特許文献１】特開２００６−１４６７４３号公報
【発明の概要】
【発明が解決しようとする課題】
【０００６】
しかしながら、特許文献１に開示されたコンテンツフィルタリング方法は、レイティングレベルが許容される範囲外である場合に、メールを配信しない。このように、条件によってメールを配信しないという方法は、子供や特定のユーザに対する過剰な干渉になる場合があり、正当な活動を妨害することになりかねない。また、長期的に見守る必要がある場合等において、このような方法を利用することはできない。
【０００７】
そこで、子供や特定のユーザが通常通り活動するなかで、子供や特定のユーザの現状を把握し、傾向をチェックすることができるデータを保護者や管理責任者に提供する装置が望まれている。
【０００８】
本発明は、子供や特定のユーザが通常通り活動するなかで、子供や特定のユーザの現状を把握し、傾向をチェックすることができるデータを保護者や管理責任者に提供する監視サーバ及び方法を提供することを目的とする。
【課題を解決するための手段】
【０００９】
本発明では、以下のような解決手段を提供する。
【００１０】
（１）  メールサーバ及びＷｅｂサーバと通信可能に接続された監視サーバであって、前記監視サーバが監視の対象とする第１のユーザ識別情報と、前記監視サーバが送信する相手先である第２のユーザ識別情報とを対応付けて記憶する特定ユーザ記憶手段と、特有のキーワードを記憶するキーワード記憶手段と、前記メールサーバ及び前記Ｗｅｂサーバから受信したデータの中から、前記第１のユーザ識別情報に関連する情報を含むデータを抽出する抽出手段と、前記抽出手段によって抽出されたデータの中から、前記キーワード記憶手段に基づいて前記特有のキーワードを含むデータを検出する検出手段と、前記検出手段によって検出されたデータを、前記第１のユーザ識別情報に対応付けられた前記第２のユーザ識別情報によって識別されるユーザに送信する報告送信手段と、を備える監視サーバ。
【００１１】
（１）の構成によれば、本発明に係る監視サーバは、監視サーバが監視の対象とする第１のユーザ識別情報と、監視サーバが送信する相手先である第２のユーザ識別情報とを対応付けて記憶する特定ユーザ記憶手段と、特有のキーワードを記憶するキーワード記憶手段とを備える。そして、監視サーバは、メールサーバ及びＷｅｂサーバから受信したデータの中から、第１のユーザ識別情報に関連する情報を含むデータを抽出し、抽出したデータの中から、キーワード記憶手段に基づいて特有のキーワードを含むデータを検出する。次に、監視サーバは、検出したデータを、第１のユーザ識別情報に対応付けられた第２のユーザ識別情報によって識別されるユーザに送信する。
【００１２】
すなわち、本発明に係る監視サーバは、メールサーバ及びＷｅｂサーバから受信した第１のユーザのデータの中から、特有のキーワードを含むデータを検出し、第２のユーザに送信する。したがって、本発明に係る監視サーバは、子供や特定のユーザがネットワークを介した通信によって通常通り活動するなかで、子供や特定のユーザの現状を把握し、傾向をチェックすることができるデータを保護者や管理責任者に提供することができる。
【００１３】
（２）  （１）に記載された監視サーバであって、前記第１のユーザ識別情報と、前記メールサーバ及び前記Ｗｅｂサーバから受信したデータとを対応付けて記憶する履歴記憶手段と、前記抽出手段によって抽出されたデータを、前記第１のユーザ識別情報ごとに前記履歴記憶手段に格納する履歴格納手段と、前記履歴格納手段によって格納されたデータを定期的に解析する解析手段と、をさらに備え、前記報告送信手段は、前記解析手段によって解析された結果に基づいて、前記検出手段によって検出されたデータを、前記第２のユーザ識別情報によって識別されるユーザに送信する監視サーバ。
【００１４】
（２）の構成によれば、（１）の監視サーバは、第１のユーザ識別情報と、メールサーバ及びＷｅｂサーバから受信したデータとを対応付けて記憶する履歴記憶手段をさらに備える。そして、監視サーバは、抽出したデータを、第１のユーザ識別情報ごとに履歴記憶手段に格納し、格納したデータを定期的に解析する。次に、監視サーバは、解析した結果に基づいて、検出したデータを、第２のユーザに送信する。
【００１５】
したがって、監視サーバは、ネットワークを介した通信データの履歴を定期的に解析することによって、子供や特定のユーザがネットワークを介した通信によって通常通り活動するなかで、子供や特定のユーザの現状を把握し、傾向をチェックすることができるデータを保護者や管理責任者にさらに提供することができる。
【００１６】
（３）  （２）に記載された監視サーバであって、前記キーワード記憶手段は、互いに同じカテゴリに属することを示す情報が対応付けられた前記特有のキーワードを記憶し、前記解析手段は、前記履歴記憶手段に記憶されたデータに含まれる前記特有のキーワードがどのカテゴリに属するかを、前記キーワード記憶手段に基づいて解析する監視サーバ。
【００１７】
（３）の構成によれば、（２）の監視サーバは、通信データの履歴に含まれる特有のキーワードがどのカテゴリに属するかの解析を行うので、現状や傾向をカテゴリで表して、わかりやすい報告をすることができる。
【００１８】
（４）  （１）から（３）のいずれかに記載された監視サーバであって、前記キーワード記憶手段は、前記第１のユーザ識別情報に対応付けて前記キーワードを記憶する監視サーバ。
【００１９】
（４）の構成によれば、（１）から（３）のいずれかに記載された監視サーバは、第１のユーザ識別情報に対応付けてキーワードを記憶させているので、子供や特定のユーザがネットワークを介した通信によって通常通り活動するなかで、子供や特定のユーザごとに、性別や年齢、生活環境等による特有のキーワードに基づいて、現状を把握し、傾向をチェックすることができる、さらに正確なデータを保護者や管理責任者に提供することができる。
【００２０】
（５）  メールサーバ及びＷｅｂサーバと通信可能に接続された監視サーバが実行する方法であって、前記監視サーバは、前記監視サーバが監視の対象とする第１のユーザ識別情報と、前記監視サーバが送信する相手先である第２のユーザ識別情報とを対応付けて記憶する特定ユーザ記憶手段と、特有のキーワードを記憶するキーワード記憶手段と、を備え、前記方法は、前記メールサーバ及び前記Ｗｅｂサーバから受信したデータの中から、前記第１のユーザ識別情報に関連する情報を含むデータを抽出するステップと、抽出されたデータの中から、前記キーワード記憶手段に基づいて前記特有のキーワードを含むデータを検出するステップと、検出されたデータを、前記第１のユーザ識別情報に対応付けられた前記第２のユーザ識別情報によって識別されるユーザに送信するステップと、を備える方法。
【００２１】
したがって、（５）に係る方法は、（１）と同様に、子供や特定のユーザが通常通り活動するなかで、子供や特定のユーザの現状を把握し、傾向をチェックすることができるデータを保護者や管理責任者に提供することができる。
【発明の効果】
【００２２】
本発明によれば、子供や特定のユーザが通常通り活動するなかで、子供や特定のユーザの現状を把握し、傾向をチェックすることができるデータを保護者や管理責任者に提供することができる。
【図面の簡単な説明】
【００２３】
【図１】本発明の実施形態１に係る監視サーバの機能を示す機能ブロック図である。
【図２】本発明の実施形態１に係る監視サーバのハードウェア構成の一例を示す図である。
【図３】本発明の実施形態１に係る特定ユーザＤＢの例を示す図である。
【図４】本発明の実施形態１に係るキーワードＤＢの例を示す図である。
【図５】本発明の実施形態１に係る履歴ＤＢの例を示す図である。
【図６】本発明の実施形態１に係る監視サーバの処理内容を示すフローチャートである。
【図７】本発明の実施形態１に係る監視サーバの受信データ処理を示すフローチャートである。
【図８】本発明の実施形態１に係る監視サーバの定期解析処理を示すフローチャートである。
【図９】本発明の実施形態１に係る監視サーバが報告した例を示す図である。
【図１０】本発明の実施形態１に係る監視サーバが報告した月報の例を示す図である。
【図１１】本発明の実施形態２に係るキーワードＤＢの例を示す図である。
【発明を実施するための形態】
【００２４】
［実施形態１］
以下、本発明の実施形態について図を参照しながら説明する。
【００２５】
図１は、本発明の実施形態１に係る監視サーバ１０の機能を示す機能ブロック図である。監視サーバ１０は、特定ユーザ記憶手段としての特定ユーザＤＢ３１と、キーワード記憶手段としてのキーワードＤＢ３２と、履歴記憶手段としての履歴ＤＢ３３と、抽出手段としての抽出部１１と、履歴格納手段としての履歴格納部１２と、検出手段としての検出部１３と、解析手段としての解析部１４と、報告送信手段としての報告送信部１５と、を備えている。以下各部ごとに説明する。
【００２６】
監視サーバ１０は、メールサーバ５０及びＷｅｂサーバ５１とコンピュータネットワーク７０を介して通信可能に接続されている。
例えば、メールサーバ５０は、第１のユーザ端末６０ａ、６０ｂ（以下、第１のユーザ端末を区別しない場合に第１のユーザ端末６０という）からの電子メールの相手先を振り分けたり、振り分けられた電子メールをメールサーバ５０内の第１のユーザ端末６０や別のメールサーバ５０へ配送したりする。
また、Ｗｅｂサーバ５１は、ＨＴＴＰ（ＨｙｐｅｒＴｅｘｔ  Ｔｒａｎｓｆｅｒ  Ｐｒｏｔｏｃｏｌ）により、第１のユーザ端末６０から検索クエリを受信し、第１のユーザ端末６０のウェブブラウザにＨＴＭＬ（ＨｙｐｅｒＴｅｘｔ  Ｍａｒｋｕｐ  Ｌａｎｇｕａｇｅ）等によるコンテンツを提供する。
監視サーバ１０は、このようなメールサーバ５０やＷｅｂサーバ５１から、第１のユーザ端末６０との間で送受信される、メールや、検索キーワード、Ｗｅｂページのデータ等を受信する。
【００２７】
特定ユーザＤＢ３１は、監視サーバが監視の対象とする第１のユーザ識別情報と、監視サーバが送信する相手先である第２のユーザ識別情報とを対応付けて記憶する（図３参照）。第１のユーザ識別情報は、例えば、監視サーバ１０が報告の対象として指定されたユーザ、子供や従業員等の識別情報である。第２のユーザ識別情報は、例えば、監視サーバ１０から報告書を受け取れるように契約をしたユーザ、保護者や管理責任者等の識別情報である。特定ユーザＤＢ３１は、第１のユーザ識別情報に関連する情報、例えば、第１のユーザが主催するホームページやブログサイトのＵＲＬ（Ｕｎｉｆｏｒｍ  Ｒｅｓｏｕｒｃｅ  Ｌｏｃａｔｏｒ）等をも記憶するとしてもよい。
【００２８】
キーワードＤＢ３２は、特有のキーワードを記憶する（図４参照）。特有のキーワードは、例えば、いじめ、自殺等のいわゆる非行や犯罪等を示す可能性のある特有のキーワードであり、いわゆる隠語や暗語、それらの省略語をも含む。さらに、キーワードＤＢ３２は、互いに同じカテゴリに属することを示す情報が対応付けられた特有のキーワードを記憶する。例えば、キーワードＤＢ３２は、「自殺」や、「うつ」という特有のキーワードに、「いじめ」という同じカテゴリに属することを示す情報を対応付けている。キーワードＤＢ３２は、監視サーバ１０の管理者によって、必要に応じて、追加されたり、削除されたりする。
【００２９】
履歴ＤＢ３３は、第１のユーザ識別情報と、メールサーバ５０及びＷｅｂサーバ５１から受信したデータとを対応付けて記憶する（図５参照）。例えば、履歴ＤＢ３３は、第１のユーザ識別情報ごとに、検出部１３によって検出されたデータと、受信した時刻とを記憶する。
【００３０】
抽出部１１は、メールサーバ５０及びＷｅｂサーバ５１から受信したデータの中から、第１のユーザ識別情報に関連する情報を含むデータを抽出する。
メールサーバ５０から受信したデータは、例えば、第１のユーザ識別情報で示される子供や従業員等が受信したメールや、送信したメールである。Ｗｅｂサーバ５１から受信したデータは、例えば、子供や従業員等が送信した検索クエリ（Ｗｅｂページを検索するためのキーワード等）や、Ｗｅｂサイトから子供や従業員等が受信したＷｅｂページのデータ等である。
第１のユーザ識別情報に関連する情報は、例えば、特定ユーザＤＢ３１に記憶された、第１のユーザ識別情報や、第１のユーザ識別情報に関連するＵＲＬ等である。
例えば、抽出部１１は、子供や従業員等が受信したメールや、送信したメール、送信した検索クエリや、Ｗｅｂサイトから受信したＷｅｂページのデータの中から、受信者や、送信者、受信先アドレス、送信元アドレス等が、特定ユーザＤＢ３１に記憶された第１のユーザ識別情報や、第１のユーザ識別情報に関連するＵＲＬ等を含むデータを抽出する。
【００３１】
履歴格納部１２は、抽出部１１によって抽出されたデータを、第１のユーザ識別情報ごとに履歴ＤＢ３３に格納する。例えば、履歴格納部１２は、第１のユーザ識別情報に対応付けて、受信したデータの時刻と、抽出されたデータと、データの種別（メール、検索キーワード等の種別）とを履歴ＤＢ３３に格納する。
【００３２】
検出部１３は、抽出部１１によって抽出されたデータの中から、キーワードＤＢ３２に基づいて特有のキーワードを含むデータを検出する。検出部１３は、抽出されたデータを、キーワードＤＢ３２に記憶された特有のキーワードによって検索し、特有のキーワードと同一の場合、又は特有のキーワードとの類似度が所定の値以上である場合に、特有のキーワードを含むデータとして検出する。例えば、検出部１３は、語句が漢字、カタカナ、ひらがな等の違いである場合や、混在する場合に、それらの語句とキーワードとの類似度によって、特有のキーワードを含むデータとして検出する。
【００３３】
解析部１４は、履歴ＤＢ３３に記憶されたデータを定期的に解析する。解析部１４は、履歴ＤＢ３３に記憶されたデータに含まれる特有のキーワードがどのカテゴリに属するかを、キーワードＤＢ３２に基づいて解析する。例えば、解析部１４は、履歴ＤＢ３３に記憶されたデータであって、受信した時刻が異なるデータのうち特有のキーワードを含むデータが、所定の期間内に一定の回数以上出現する場合（例えば、１週間内に２回以上出現する場合）、定期的に出現する場合（例えば、毎週出現する場合）等について解析する。また、解析部１４は、例えば、所定の期間について、同様の語句の繰り返しの回数や、同じカテゴリに属する語句の出現回数等について解析する。
【００３４】
報告送信部１５は、検出部１３によって検出されたデータを、第１のユーザ識別情報に対応付けられた第２のユーザ識別情報によって識別されるユーザに送信する。例えば、報告送信部１５は、特有のキーワードが含まれていることが検出された場合に、検出されたデータをレポートとして、特定ユーザＤＢ３１によって第１のユーザ識別情報に対応付けられた第２のユーザ識別情報が示す第２のユーザ端末６１ａ、６１ｂ（以下、第２のユーザ端末を区別しない場合に第２のユーザ端末６１という）に送信する。
【００３５】
さらに、報告送信部１５は、解析部１４によって解析された結果に基づいて、検出部１３によって検出されたデータを、第２のユーザ識別情報によって識別される第２のユーザ端末６１に送信する。すなわち、報告送信部１５は、特有のキーワードを含むデータが、所定の期間内に一定の回数以上出現する場合や、定期的に出現する場合、所定の期間について、同様の語句の繰り返しが所定の回数以上出現する場合や、同じカテゴリに属する語句が所定の回数以上出現する場合に、第２のユーザ端末６１に送信する。また、報告送信部１５は、解析部１４によって解析された結果が所定の回数以上でなくても解析された結果を、定期的（例えば、月ごとや、週ごと）に、第２のユーザ端末６１に送信してもよい。
【００３６】
上述の構成により、例えば、監視サーバ１０は、ＳＯＳ発信キャッチサービスを行うことができる。すなわち、監視サーバ１０は、子供が見たホームページや送ったメール、検索キーワードの情報によって、子供の悩みやＳＯＳ（自殺、いじめ、妊娠等）の行動をキャッチし、子供の育成の参考になるような情報を保護者に提供することができる。
また、監視サーバ１０は、育成補助サービスを行うことができる。すなわち、監視サーバ１０は、子供が見たり、閲覧したりした全てのホームページや送ったメール、検索キーワードの情報をレポートにし、保護者に提供することができる。監視サーバ１０は、子供が興味を持っている分野や傾向を保護者が知ることにより、育成、コミュニケーションの参考に役立てることができるような情報を提供することができる。
さらに監視サーバ１０は、学生見守りサービスを行うことができる。監視サーバ１０は、地方から単身で転居してきた学生に関連するデータを検出し、保護者が地方にいても学生の生活を見守ることができるような情報を提供することができる。
【００３７】
図２は、本発明の実施形態１に係る監視サーバ１０のハードウェア構成の一例を示す図である。監視サーバ１０は、ＣＰＵ（Ｃｅｎｔｒａｌ  Ｐｒｏｃｅｓｓｉｎｇ  Ｕｎｉｔ）１０００、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、Ｉ／Ｏコントローラ１０７０、ハードディスク１０７４、表示装置１０８０及び入力装置１１００を備え、バスライン１００５により接続されている。
【００３８】
ＣＰＵ１０００は、監視サーバ１０を統括的に制御する部分であり、ハードディスク１０７４に記憶された各種プログラムを適宜読み出して実行することにより、上述したハードウェアと協働し、本発明に係る各種機能を実現している。
【００３９】
通信Ｉ／Ｆ１０４０は、監視サーバ１０を専用ネットワーク又は公共ネットワークを介してユーザ端末等と接続できるようにするためのネットワーク・アダプタである。
【００４０】
メインメモリ１０５０は、適宜読み出して実行されるプログラムを記憶し、プログラムの実行によって作成される種々の情報を記憶する。ＢＩＯＳ１０６０は、監視サーバ１０の起動時にＣＰＵ１０００が実行するブートプログラムや、監視サーバ１０のハードウェアに依存するプログラム等を格納する。
【００４１】
Ｉ／Ｏコントローラ１０７０には、ハードディスク１０７４等の記憶手段を接続することができる。ハードディスク１０７４は、監視サーバ１０が本発明の機能を実行するためのプログラムを記憶している。また、ハードディスク１０７４上に、特定ユーザＤＢ３１や、キーワードＤＢ３２、履歴ＤＢ３３が構成される。
【００４２】
監視サーバ１０に提供されるプログラムは、ハードディスク１０７４、又はメモリカード等の記録媒体に格納されて提供される。このプログラムは、Ｉ／Ｏコントローラ１０７０を介して、記録媒体から読み出され、又は通信Ｉ／Ｆ１０４０を介してダウンロードされることによって、監視サーバ１０にインストールされ実行されてもよい。
【００４３】
表示装置１０８０は、監視サーバ１０による演算処理結果の画面、監視サーバ１０の管理者の指示を受け付ける画面等を表示するものであり、ブラウン管表示装置、液晶表示装置等のディスプレイ装置を含む。入力装置１１００は、監視サーバ１０のオペレータによる入力を行う装置であり、キーボード及びマウス等で構成される。
【００４４】
図３は、本発明の実施形態１に係る特定ユーザＤＢ３１の例を示す図である。特定ユーザＤＢ３１は、第１ユーザＩＤに対応付けて、関連情報と、第２ユーザＩＤとを記憶している。第１ユーザＩＤは、監視の対象であるユーザの識別情報である。関連情報は、第１ユーザＩＤに関連する情報であって、例えば、電子メールを交換する場合のメールＩＤや、Ｗｅｂページに接続する場合のＩＤ等である。関連情報は、第１ユーザＩＤを用いて、インターネットとの接続をサービスするプロバイダから取得することができるとしてもよい。第２ユーザＩＤは、報告する場合の報告先のユーザＩＤである。
【００４５】
図４は、本発明の実施形態１に係るキーワードＤＢ３２の例を示す図である。キーワードＤＢ３２は、キーワードに対応付けて、カテゴリを記憶している。キーワードは、例えば、「いじめ」、「自殺」等であって、現状を把握し、傾向をキャッチするための特有なキーワードである。カテゴリは、現状や傾向を表すために、キーワードを分類したカテゴリである。
【００４６】
図５は、本発明の実施形態１に係る履歴ＤＢ３３の例を示す図である。履歴ＤＢ３３は、ユーザＩＤに対応付けて、抽出データを記憶している。ユーザＩＤは、ユーザを識別する識別情報である。抽出データは、通信された時刻と、通信の種別（例えば、メール、検索キーワード等）と、データの内容と、回数（検出されたデータごとに含まれる特有のキーワードの個数や、期間ごとに検出されたデータの出現回数）とから構成される。
【００４７】
図６は、本発明の実施形態１に係る監視サーバ１０の処理内容を示すフローチャートである。
【００４８】
ステップＳ１０１において、ＣＰＵ１０００は、受信データか否かを判断する。すなわち、ＣＰＵ１０００は、メールサーバ５０又はＷｅｂサーバ５１からデータを受信したか否かを判断する。この判断がＹＥＳの場合、ＣＰＵ１０００は、処理をステップＳ１０２に移し、ＮＯの場合、ＣＰＵ１０００は、処理をステップＳ１０３に移す。
【００４９】
ステップＳ１０２において、ＣＰＵ１０００は受信データ処理（後述する図７参照）を行う。その後、ＣＰＵ１０００は、処理をステップＳ１０３に移す。
【００５０】
ステップＳ１０３において、ＣＰＵ１０００は、定期解析を行うか否かを判断する。すなわち、ＣＰＵ１０００は、定期解析を行うための所定の条件か否か（例えば、前回の解析から１週間が経過したか否か、月報を作成する日か否か）を判断する。この判断がＹＥＳの場合、ＣＰＵ１０００は、処理をステップＳ１０４に移し、ＮＯの場合、ＣＰＵ１０００は、処理をステップＳ１０１に移す。
【００５１】
ステップＳ１０４において、ＣＰＵ１０００は、定期解析処理（後述する図８参照）を行う。その後、ＣＰＵ１０００は、処理をステップＳ１０１に移す。
【００５２】
図７は、本発明の実施形態１に係る監視サーバ１０の受信データ処理を示すフローチャートである。
【００５３】
ステップＳ２０１において、ＣＰＵ１０００（抽出部１１）は、受信したデータの中から、第１のユーザＩＤに関連する情報を含むデータを抽出する。より具体的には、ＣＰＵ１０００は、子供や従業員等が受信したメールや、送信したメール、送信した検索クエリや、Ｗｅｂサイトから受信したＷｅｂページのデータの中から、受信者や、送信者、受信先アドレス、送信元アドレス等が、特定ユーザＤＢ３１に記憶された第１のユーザＩＤや、第１のユーザＩＤに関連するＵＲＬ等を含んでいるデータを抽出する。その後、ＣＰＵ１０００は、処理をステップＳ２０２に移す。
【００５４】
ステップＳ２０２において、ＣＰＵ１０００（履歴格納部１２）は、抽出されたデータを、第１のユーザＩＤごとに履歴ＤＢ３３に格納する。より具体的には、ＣＰＵ１０００は、第１のユーザＩＤに対応付けて、受信したデータの時刻と、抽出されたデータと、データの種別（メール、検索キーワード等の種別）とを履歴ＤＢ３３に格納する。その後、ＣＰＵ１０００は、処理をステップＳ２０３に移す。
【００５５】
ステップＳ２０３において、ＣＰＵ１０００（検出部１３）は、抽出されたデータの中から、キーワードＤＢ３２に基づいて特有のキーワードを含むデータを検出する。より具体的には、ＣＰＵ１０００は、ステップＳ２０１において抽出されたデータを、キーワードＤＢ３２に記憶された特有のキーワードによって検索し、特有のキーワードと同一の場合、又は特有のキーワードとの類似度が所定の値以上であるキーワードを検出した場合に、データを検出し、検出したキーワードの個数を履歴ＤＢ３３に記憶させる。その後、ＣＰＵ１０００は、処理をステップＳ２０４に移す。
【００５６】
ステップＳ２０４において、ＣＰＵ１０００（報告送信部１５）は、報告するか否かを判断する。より具体的には、ＣＰＵ１０００は、ステップＳ２０３において特有のキーワードが含まれていることが検出されたか否かを判断する。この判断がＹＥＳの場合、ＣＰＵ１０００は、処理をステップＳ２０５に移し、ＮＯの場合、ＣＰＵ１０００は、処理を終了し、本処理に移るステップの次のステップに処理を戻す。
【００５７】
ステップＳ２０５において、ＣＰＵ１０００（報告送信部１５）は、検出されたデータを、第２のユーザに送信する。より具体的には、ＣＰＵ１０００は、検出されたデータをレポート（図９参照）として、特定ユーザＤＢ３１によって第１のユーザＩＤに対応付けられた第２のユーザＩＤが示す第２のユーザ端末６１に送信する。その後、ＣＰＵ１０００は、処理を終了し、本処理に移るステップの次のステップに処理を戻す。
【００５８】
図８は、本発明の実施形態１に係る監視サーバ１０の定期解析処理を示すフローチャートである。
【００５９】
ステップＳ３０１において、ＣＰＵ１０００（解析部１４）は、履歴ＤＢ３３に記憶されたデータを解析する。より具体的には、ＣＰＵ１０００は、特有のキーワードを含むデータを受信した時刻を解析し、所定の期間内に一定の回数以上出現しているか（例えば、１週間内に２回以上）を解析する。また、ＣＰＵ１０００は、定期的に出現しているか（例えば、毎週出現）を解析する。その後、ＣＰＵ１０００は、処理をステップＳ３０２に移す。
【００６０】
ステップＳ３０２において、ＣＰＵ１０００（報告送信部１５）は、報告するか否かを判断する。より具体的には、ＣＰＵ１０００は、ステップＳ３０１において解析した結果、一定の回数以上の出現や、定期的な出現をしていると解析されたか否かを判断する。また、定期的（例えば、月ごとや、週ごと）に報告をする日か否かを判断する。この判断がＹＥＳの場合、ＣＰＵ１０００は、処理をステップＳ３０３に移し、ＮＯの場合、ＣＰＵ１０００は、処理を終了し、本処理に移るステップの次のステップに処理を戻す。
【００６１】
ステップＳ３０３において、ＣＰＵ１０００（報告送信部１５）は、解析されたデータを、第２のユーザに送信する。より具体的には、ＣＰＵ１０００は、解析されたデータをレポート（図１０参照）として、特定ユーザＤＢ３１によって第１のユーザＩＤに対応付けられた第２のユーザＩＤが示す第２のユーザ端末６１に送信する。その後、ＣＰＵ１０００は、処理を終了し、本処理に移るステップの次のステップに処理を戻す。
【００６２】
図９は、本発明の実施形態１に係る監視サーバ１０が報告した例を示す図である。図９に示す例は、監視サーバ１０が、検出したデータを、第２のユーザ端末６１ａに送信した例である。図９に示す例において、監視サーバ１０は、第２のユーザ端末６１ａに、検出したデータを送信し、送信されたデータを受信した第２のユーザ端末６１ａは、画面６２ａに、監視サーバ１０によって検出されたデータを表示している。
【００６３】
図１０は、本発明の実施形態１に係る監視サーバ１０が報告した月報の例を示す図である。図１０（１）が示す例は、監視サーバ１０が、履歴ＤＢ３３に基づいて定期的（例えば、週ごとや、月ごと）に解析して集計し、第２のユーザ端末６１ａに送信した例である。図１０（１）に示す例において、監視サーバ１０は、履歴ＤＢ３３に記憶された検出したデータに基づいて解析し、検出した特定のキーワード「自殺」の回数や、特定のキーワードが属するカテゴリ「いじめ」を明示し、通常のメールや検索クエリ等の回数を集計し、検出したキーワードの種類の数や検出したキーワードの使用回数等を集計して、第２のユーザ端末６１ａに送信している。
【００６４】
図１０（２）が示す例は、図１０（１）の例における、監視サーバ１０が検出した特定のキーワードの内訳を示す例である。図１０（２）に示す例において、監視サーバ１０は、検出したキーワードの種類、例えば「自殺」や「いじめ」ごとに使用回数を集計し、集計した使用回数の多い順（ランク順）に並べて、第２のユーザ端末６１ａに送信している。
図９や図１０に示すような報告によって、監視サーバ１０は、子供や特定のユーザの現状を把握し、傾向をチェックすることができるデータを保護者や管理責任者に提供する。
【００６５】
実施形態１によれば、監視サーバ１０は、監視サーバ１０が監視の対象とする第１のユーザ識別情報と、監視サーバ１０が送信する相手先である第２のユーザ識別情報とを対応付けて記憶する特定ユーザＤＢ３１と、特有のキーワードと、特有のキーワードが属するカテゴリとを記憶するキーワードＤＢ３２とを備える。そして、監視サーバ１０は、メールサーバ５０及びＷｅｂサーバ５１から受信したデータの中から、第１のユーザ識別情報に関連する情報を含むデータを抽出し、抽出したデータの中から、キーワードＤＢ３２に基づいて特有のキーワードを含むデータを検出する。次に、監視サーバ１０は、検出したデータを、第２のユーザ識別情報によって識別されるユーザに送信する。さらに、監視サーバ１０は、第１のユーザ識別情報と、メールサーバ５０及びＷｅｂサーバ５１から受信したデータとを対応付けて記憶する履歴ＤＢ３３をさらに備える。そして、監視サーバ１０は、抽出したデータを、第１のユーザ識別情報ごとに履歴ＤＢ３３に格納し、格納したデータを定期的に解析し、解析した結果に基づいて、検出したデータを、第２のユーザ端末６１に送信する。したがって、監視サーバ１０は、子供や特定のユーザがネットワークを介した通信によって通常通り活動するなかで、子供や特定のユーザの現状を把握し、傾向をチェックすることができるデータを保護者や管理責任者に提供することができる。
【００６６】
［実施形態２］
実施形態２において、キーワードＤＢ３２は、第１のユーザ識別情報ごとに特有のキーワードを記憶する。
【００６７】
図１１は、本発明の実施形態２に係るキーワードＤＢ３２の例を示す図である。キーワードＤＢ３２は、第１のユーザＩＤに対応付けて、特有のキーワードと、カテゴリとを記憶している。キーワード及びカテゴリは、実施形態１と同様である。
【００６８】
実施形態２の受信データ処理は、実施形態１における受信データ処理（図７参照）のステップＳ２０１からステップＳ２０５と同様である。このうち、実施形態２のステップＳ２０３において、ＣＰＵ１０００（検出部１３）は、抽出部１１によって抽出されたデータに対応するユーザＩＤによって、キーワードＤＢ３２からそのユーザＩＤに対応付けて記憶された特有のキーワードを取得し、取得したキーワードによって、その抽出されたデータを検索し、特有のキーワードと同一の場合、又は特有のキーワードとの類似度が所定の値以上であるキーワードを検出した場合に、データを検出し、検出したキーワードの個数を履歴ＤＢ３３に記憶させる。
【００６９】
このように、キーワードＤＢ３２が第１のユーザＩＤごとに特有のキーワードを記憶し、監視サーバ１０は、子供や特定のユーザごとに対応付けられた特有のキーワードに基づいて、抽出したデータの中から特有のキーワードを検出し、検出したデータを第２のユーザ端末６１に送信する。
【００７０】
実施形態２によれば、監視サーバ１０は、第１のユーザ識別情報ごとに特有のキーワードを記憶するキーワードＤＢ３２を備える。したがって、監視サーバ１０は、子供や特定のユーザがネットワークを介した通信によって通常通り活動するなかで、例えば、性別や年齢、生活環境等によって異なる特有のキーワードによって、子供や特定のユーザごとの現状を把握し、傾向をチェックすることができる、さらに正確なデータを保護者や管理責任者に提供することができる。
【００７１】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
上述の実施形態では、子供や従業員等を対象としたが、例えば、特定のユーザとして容疑者や犯罪組織を対象としてもよい。監視サーバ１０は、容疑者や犯罪組織がネットワークを介した通信によって通常通り活動するなかで、容疑者や犯罪組織の現状を把握し、傾向をチェックすることができるデータを警察等に提供することができる。
【符号の説明】
【００７２】
１０    監視サーバ
１１    抽出部
１２    履歴格納部
１３    検出部
１４    解析部
１５    報告送信部
３１    特定ユーザＤＢ
３２    キーワードＤＢ
３３    履歴ＤＢ
【図１】
2012073798.tif 000003
【図２】
2012073798.tif 000004
【図３】
2012073798.tif 000005
【図４】
2012073798.tif 000006
【図５】
2012073798.tif 000007
【図６】
2012073798.tif 000008
【図７】
2012073798.tif 000009
【図８】
2012073798.tif 000010
【図９】
2012073798.tif 000011
【図１０】
2012073798.tif 000012
【図１１】
2012073798.tif 000013